(57)【要約】      （修正有）【課題】住宅基礎の立ち上がり壁部に人が通り抜けることのできる必要十分な大きさを有し、かつ強度と施工のし易さを備えた人通孔の形成方法、補強構造、補強方法、および人通孔金具を提供することを目的とする。【解決手段】床下通路を確保するため、金属板製の側面板１１１と底面板１１２からなる上部開放の枠体１１０を形成し、開放面を台形梁１２０で連結して、必要十分な人通空間を有する枠型函体を形成した人通孔金物１００によって、住宅基礎立ち上り壁部２１０に簡易に人通孔を設けることができる。先ず、基礎の立ち上がり壁部２１０を構成するコンクリート型枠内の所定位置に、あらかじめ人通孔金物１００を固定したのち、そのまま基礎立ち上がり壁部２１０の天端までコンクリートを打設、脱型すれば、住宅基礎２００の立ち上がり壁部２１０に、人通孔３００の貫通面の貫通空間を保持した所望の人通孔３００を得る。【選択図】図１
2018184705.tif 000002
【特許請求の範囲】
【請求項１】
基礎の立ち上がり壁部に形成される耐力を備えた人通孔の形成方法において、
人通孔の下部から形成される基礎の立ち上がり壁部の天端まで、形成される基礎の立ち上がり壁部の厚さ幅で人通孔の側壁を形成する枠体がコンクリート型枠に挟持されて固定される工程と、
梁材が、前記枠体の天端を水平に繋いで固定される工程と、
打設されたコンクリートが硬化した後に、基礎の立ち上がり壁部に前記枠体および前記梁材を形成された残したままでコンクリート型枠を撤去する工程と、
を備えることを特徴とする人通孔の形成方法。
【請求項２】
前記梁材は、
基礎立ち上がり壁部の長手方向両側面に沿って上方に張り出したフランジ板、
を備えることを特徴とする請求項１記載の人通孔の形成方法。
【請求項３】
前記フランジ板は、
台形のアーチ状であることを特徴とする請求項２記載の人通孔の形成方法。
【請求項４】
前記枠体は、
人通孔の側面を支える側面板と、
人通孔の底面を支える底面板と、
を備えることを特徴とする請求項１記載の人通孔の形成方法。
【請求項５】
前記枠体は、
前記側面板と前記底面板とが曲面で連結されたことを特徴とする請求項４記載の形成方法。
【請求項６】
前記枠体と前記梁材とが接する結合部、または前記側面板と前記底面板とが接する結合部は、
前記結合部の結合を補強するための補強部、
を備えることを特徴とする請求項４記載の人通孔の形成方法。
【請求項７】
前記補強部は、
前記結合部を垂直に支持するためのアングル材が前記結合部の内側に沿って溶着されていることを特徴とする請求項６記載の人通孔の形成方法。
【請求項８】
前記枠体は、
前記枠体が有する面と基礎立ち上がり壁部とが接する面とに凸部、
を備えることを特徴とする請求項１記載の人通孔の形成方法。
【請求項９】
前記枠体は、
前記人通孔の周囲に配筋された鉄筋に連結して固定するための固定手段、
を備えることを特徴とする請求項９記載の人通孔の形成方法。
【請求項１０】
基礎の立ち上がり壁部に形成された人通孔を補強する人通孔の補強構造において、
人通孔の下部から基礎の立ち上がり壁部の天端まで、人通孔の側壁を形成する枠体と、
前記枠体の天端を水平に繋いで固定される梁材と、
を備えることを特徴とする人通孔の補強構造。
【請求項１１】
基礎の立ち上がり壁部に形成された人通孔を補強する人通孔の補強方法において、
枠体が、人通孔の下部から基礎の立ち上がり壁部の天端まで、人通孔の側壁を形成する工程と、
梁材が、前記枠体の天端を水平に繋いで固定される工程と、
を備えることを特徴とする人通孔の補強方法。
【請求項１２】
基礎の立ち上がり壁部に形成された人通孔を補強する人通孔金物において、
人通孔の下部から基礎の立ち上がり壁部の天端まで、人通孔の側壁を形成する枠体と、
前記枠体の天端を水平に繋いで固定される梁材と、
を備えることを特徴とする人通孔金物。
【発明の詳細な説明】
【技術分野】
【０００１】
本発明は、人通孔の形成方法、補強構造、補強方法、および人通孔金物に関し、特にコンクリート型枠にコンクリートを打設することで、耐力を備えた人通孔を基礎の立ち上がり壁部に形成する人通孔の形成方法、補強構造、補強方法、および人通孔金物に関する。
【背景技術】
【０００２】
従来から、木造住宅は地面に近い床下部分から腐食や老朽化が進みやすく、地震や台風による倒壊被害を軽減するためにも、定期的な床下内部の点検が必要とされていた。床下の点検は通常、人が床下へ入り込んで床下の点検を行っている。
【０００３】
かつての木造住宅の和室の畳の下には、幅広のムク板が釘ドメされているだけであった。このため釘を外すだけで簡単に畳を取り外すことができるので、床下の点検には、畳を外すだけで、どこでも簡単に床下に入ることができる構造であった。
【０００４】
近年では、和室の需要が減り、洋室の需要が増加している。これは日本人が床の上で座っての食事や、布団を敷いての就寝などの習慣が減り、日本人のライフスタイルが大きく変化しことによる影響が挙げられる。
【０００５】
このように、需要が増えている洋室では、床や廊下の表面にはフローリング材が利用されている。この敷設されたフローリング材を取り外して床下に人が入ろうとした場合、取り外したフローリングはが膨潤してしまうため、取り外したフローリング材を再利用することも難しい。
【０００６】
また床下の点検の都度、部分的にフローリング材を取り外し、その取り外した部分だけを張り替えても、フローリングの木目を合わせることが不可能であり、結局、床下の点検の度に、フローリング材を取り外して新しく張り替えるのは現実的ではない。
【０００７】
一方で、増加傾向のある洋室には、床暖房機器を設置する住宅も増えている。このような床暖房機器を設置した洋室の床下には、温水式床暖房に必要な配管や電気式床暖房に必要な配線などが敷設されている。このような床暖房機器にも定期的なメンテナンスが必要であり、メンテナンス時には配管や配線が敷設された床下に人が入る必要がある。
ところが、床下には配管や配線があちこちに敷設されているため、洋室から床下に入るのは非常に困難を伴う。
【０００８】
そこで建物の下部構造である基礎の立ち上がり壁部に、あらかじめ人が通れる程度の人通孔を形成することで、床下の点検時など、容易に人が床下へ入れる構造が提案されている。しかし基礎の立ち上がり部に設けた人通孔による断面欠損により、構造的に弱体化してしまう。このため、鉄筋増強などの人通孔の周囲の補強は必至である。（たとえば、特許文献１、２参照）。
【０００９】
図１０は、鉄筋で人通孔の周囲を補強した従来の補強構造の一例を示す側面図である。
図１０に示すように、基礎の立ち上がり壁部１には、円形の人通孔２が形成されている。また人通孔２の周囲には、人通孔２の欠損を防止するための補強構造１０が形成されている。
【００１０】
補強構造１０は、人通孔２の左右縦方向にＸ字状に配筋された斜筋１１と、人通孔２を取り巻くように配筋された縦筋１２および横筋１３とが、人通孔２の上部および下部に配筋された主筋１４に緊結されている。
【００１１】
図１１は、支柱枠で人通孔の周囲を補強した従来の補強構造の一例を示す側面図である。
図１１に示すように、基礎の立ち上がり壁部１には、円形の人通孔２が形成されている。また人通孔２の周囲には、人通孔２の欠損を防止するための補強構造２０が形成されている。
【００１２】
補強構造２０は、人通孔２の左右縦方向にＸ字状に配置された平鋼からなる斜材２１と人通孔２の上部と下部に設置された山形鋼からなる横材２２とを備えている。この補強構造２０は、基礎立ち上がり壁部１の内部に埋設されることで、人通孔２の欠損を防止している。
【００１３】
図１１の補強構造２０は、図１０の鉄筋による人通孔の補強構造１０を、山形鋼や平鋼からなる支柱枠を人通孔２の周囲に配置することで、補強構造の剛性を強化したものである。しかし、これらの補強構造１０、２０では円形の人通孔２の周囲を鉄筋や支柱枠で補強しているため、人通孔２の大きさは必然と制限されてしまう。
【００１４】
このため図１０や図１１の人通孔２は円形となってしまい、人通孔２の上部および下部の横幅が狭くなってしまう。このため大きな基礎壁はともかく、円形の人通孔２は中小規模の基礎には不向きなことが多く、人が通りにくい形状となってしまっていた。
そこで人通孔２の大きさを必要十分に形成し、人が容易に通れるようにした人通孔が提案されている（たとえば、特許文献３参照）。
【００１５】
図１２は、矩形の人通孔の周囲を補強した従来の補強構造を示す側面図である。
図１２に示すように、基礎の立ち上がり壁部１には、基礎の立ち上がり壁部１の上部が開放された矩形の人通孔３が形成されている。また人通孔３の周囲には、人通孔３の欠損を防止するための補強構造３０が形成されている。
【００１６】
補強構造３０は、人通孔３の上部に配筋される上端筋３１と、人通孔３の下部に配筋される腹筋３２および下端筋３３と、人通孔３の左右に配筋した斜筋３４と、上端筋３１、腹筋３２、下端筋３３、および斜筋３４を連結する肋筋３５とを備えている。
【００１７】
このような補強構造３０により補強された矩形の人通孔３は、基礎立ち上がり壁部１の上部を開放するように形成することで、円形の人通孔２では狭くなっていた上部と下部の横幅が広くなり、人が通りやすい形状になっている。
【００１８】
このように人が通りやすいように基礎の立ち上がり壁部の上部を開放した矩形の人通孔３は、人通孔３の下部から隅部にかけて構造的な弱点となってしまうため、基礎立ち上がり壁部の長さ方向の一部を人通孔の幅だけカットして人通孔用の切り欠きを設け、その跡に形状寸法を合わせた軽量チャンネル製の枠組をセットし、アンカーボルト止めに固定した人通孔が提案されている（たとえば、特許文献４参照）。
【００１９】
図１３は、人通孔の周囲を補強した従来の補強構造の一例を示す側面図である。
図１３に示すように、基礎立ち上がり壁部１には人通孔４が設けられ、人通孔４の周囲に補強部材４０が取付けられている。
【００２０】
補強部材４０は、基礎立ち上がり壁部１に形成される人通孔４の両側に各々取り付けられる一対の側枠部材４１と、その一対の側枠部材４１の上部間に配置される上枠部材４２と、一対の側枠部材４１の下部間に配置される下枠部材４３と、一対の側枠部材４１に対し上枠部材４２及び下枠部材４３を各々位置調整可能にそれぞれ連結する連結部材とを備えている。
【００２１】
具体的には、連結部材は、側枠部材４１と上枠部材４２または下枠部材４３に少なくとも長孔４５を介して各々位置調整可能に重ねられる連結プレート４４と、側枠部材４１と上枠部材４２または下枠部材４３を長孔４５に各々通してそれぞれ固定するボルト４６及びナット４７とからなる。
【先行技術文献】
【特許文献】
【００２２】
【特許文献１】特開２０１３−８７５０４号公報
【特許文献２】特開２０１６−８４６０号公報
【特許文献３】特開平９−２４２２２５８号公報
【特許文献４】特開２０１６−８３８５号公報
【発明の概要】
【発明が解決しようとする課題】
【００２３】
しかし、この補強部材４０による人通孔補強構造によると、側枠部材４１の幅方向が調節可能とは言え、固定したときに基礎立ち上がり壁部１との間に隙間が生じるため、基礎立ち上がり壁部１と緊密に固定することが難しく、構造的に布基礎が連続して構築され難い問題があった。
【００２４】
本発明はこのような点に鑑みてなされたものであり、住宅基礎の立ち上がり壁部に人が通り抜けることのできる必要十分な大きさを有し、かつ強度と施工のし易さを備えた人通孔を形成可能な人通孔の形成方法、補強構造、補強方法、および人通孔金物を提供することを目的とする。
【課題を解決するための手段】
【００２５】
本発明では上記問題を解決するために、基礎の立ち上がり壁部に形成される耐力を備えた人通孔の形成方法において、人通孔の下部から形成される基礎の立ち上がり壁部の天端まで、形成される基礎の立ち上がり壁部の厚さ幅で人通孔の側壁を形成する枠体がコンクリート型枠に挟持されて固定される工程と、梁材が、前記枠体の天端を水平に繋いで固定される工程と、打設されたコンクリートが硬化した後に、基礎の立ち上がり壁部に前記枠体および前記梁材を形成された残したままでコンクリート型枠を撤去する工程とを備えることを特徴とする人通孔の形成方法が提供される。
【００２６】
これにより、人通孔の下部から形成される基礎の立ち上がり壁部の天端まで、形成される基礎の立ち上がり壁部の厚さ幅で人通孔の側壁を形成する枠体がコンクリート型枠に挟持されて固定され、梁材が、前記枠体の天端を水平に繋いで固定され、打設されたコンクリートが硬化した後に、基礎の立ち上がり壁部に前記枠体および前記梁材を形成された残したままでコンクリート型枠を撤去する。
【００２７】
また、本発明では、基礎の立ち上がり壁部に形成された人通孔を補強する人通孔の補強構造において、人通孔の下部から基礎の立ち上がり壁部の天端まで、人通孔の側壁を形成する枠体と、前記枠体の天端を水平に繋いで固定される梁材とを備えることを特徴とする人通孔の補強構造が提供される。
これにより、枠体が人通孔の下部から基礎の立ち上がり壁部の天端まで、人通孔の側壁を形成し、梁材が、枠体の天端を水平に繋いで固定される。
【００２８】
また、本発明では、基礎の立ち上がり壁部に形成された人通孔を補強する人通孔の補強方法において、枠体が、人通孔の下部から基礎の立ち上がり壁部の天端まで、人通孔の側壁を形成する工程と、梁材が、前記枠体の天端を水平に繋いで固定される工程とを備えることを特徴とする人通孔の補強方法が提供される。
これにより、枠体が人通孔の下部から基礎の立ち上がり壁部の天端まで、人通孔の側壁を形成し、梁材が、枠体の天端を水平に繋いで固定される。
【００２９】
また、本発明では、基礎の立ち上がり壁部に形成された人通孔を補強する人通孔金物において、人通孔の下部から基礎の立ち上がり壁部の天端まで、人通孔の側壁を形成する枠体と、前記枠体の天端を水平に繋いで固定される梁材とを備えることを特徴とする人通孔金物が提供される。
これにより、枠体が人通孔の下部から基礎の立ち上がり壁部の天端まで、人通孔の側壁を形成し、梁材が、枠体の天端を水平に繋いで固定される。
【発明の効果】
【００３０】
本発明の人通孔の形成方法、補強構造、補強方法、および人通孔金具によれば、形成される基礎の立ち上がり壁部の厚さ幅で、人通孔の下部から形成される基礎の立ち上がり壁部の天端まで、人通孔の側壁を形成する枠体がコンクリート型枠に挟持されて固定され、梁材が、枠体の天端を水平に繋いで固定され、打設されたコンクリートが硬化した後に、基礎の立ち上がり壁部に枠体および梁材を形成された残したままでコンクリート型枠を撤去するので、住宅基礎の立ち上がり壁部に人が通り抜けることのできる必要十分な大きさを有し、かつ強度と施工のし易さを備えた人通孔を形成可能な人通孔を形成することができる。
【図面の簡単な説明】
【００３１】
【図１】第１の実施の形態に係る人通孔金物が人通孔を形成した後の状態を示す全体斜視図である。
【図２】人通孔金物の組立詳細を示す斜視図である。
【図３】人通孔金物の接合方法を示す分解図である。
【図４】基礎立ち上がり壁部に人通孔形成するために、コンクリート型枠内に人通孔金物を設置した状態を示す斜視図である。
【図５】設置されたコンクリート型枠の内部で人通孔金物が補助筋に固定された様子を示す図である。
【図６】コンクリート型枠内にコンクリートを打設した様子を示す図である。
【図７】コンクリート硬化後にコンクリート型枠の撤去作業が人通孔まで進んだ様子を示す図である。
【図８】第２の実施の形態に係る人通孔金物の詳細を示す斜視図である。
【図９】第３の実施の形態に係る人通孔金物の詳細を示す斜視図である。
【図１０】鉄筋で人通孔の周囲を補強した従来の補強構造の一例を示す側面図である。
【図１１】支柱枠で人通孔の周囲を補強した従来の補強構造の一例を示す側面図である。
【図１２】矩形の人通孔の周囲を補強した従来の補強構造を示す側面図である。
【図１３】人通孔の周囲を補強した従来の補強構造の一例を示す側面図である。
【発明を実施するための形態】
【００３２】
以下、本発明の実施の形態を、図面を参照して詳細に説明する。
〔第１の実施の形態〕
図１は、第１の実施の形態に係る人通孔金物が人通孔を形成した後の状態を示す全体斜視図である。
【００３３】
図１に示すように、人通孔金物１００は、住宅基礎２００を形成する場合に、その住宅基礎２００の基礎立ち上がり壁部２１０に人通孔３００を形成するための装置である。また住宅基礎２００が形成された後に、人通孔金物１００は住宅基礎２００に埋設されたまま、人通孔３００の補強を担うための装置である。
【００３４】
人通孔金物１００は、枠体１１０および台形梁１２０で構成された枠型函体である。
枠体１１０は、短辺方向断面において上辺部が開放された「コの字」状に金属製の板材が接合された矩形状の枠体である。また枠体１１０は、住宅基礎２００の長手方向に沿って、枠体１１０の開放された開口部を上面にして、立ち上がり部壁部２１０に埋設されている。
【００３５】
枠体１１０は、２枚の側面板１１１と底面板１１２とを備えている。
側面板１１１は、形成される住宅基礎２００の基礎立ち上がり壁部２１０の厚さと同じ幅と、基礎立ち上がり壁部２１０に形成される人通孔３００の高さと同じ高さとで構成された金属製の板材である。
【００３６】
材質は溶融亜鉛メッキ鋼板、ステンレス鋼板、樹脂コーティング金属板などの耐食性の強い金属を使用することで早期劣化などを防止することができる。枠体１１０を構成する２枚の側面板１１１は、基礎立ち上がり壁部２１０の長さ方向に対向するように、基礎立ち上がり壁部２１０の高さ方向に沿って設けられる。
【００３７】
底面板１１２は、形成される住宅基礎２００の基礎立ち上がり壁部２１０の厚さと同じ幅と、基礎立ち上がり壁部２１０に形成される人通孔３００の幅と同じ長さとで構成された金属製の板材である。材質は側面板１１１と同様に溶融亜鉛メッキ鋼板などの耐食性の強い金属を使用することが望ましい。
【００３８】
底面板１１２は基礎立ち上がり壁部２１０の長手方向に向けて水平に設置され、底面板１１２の短辺方向の両端部には、２枚の側面板１１１が垂直に固定される。これにより枠体１１０は、２枚の側面板１１１と底面板１１２とが短辺方向断面において上辺部が開放された「コの字」状に接合される。
【００３９】
台形梁１２０は、梁材として上面板１２１と２枚の台形フランジ板１２２とを備えている。
上面板１２１は、底面板１１２と同様に形成される住宅基礎２００の基礎立ち上がり壁部２１０の厚さと同じ幅と、基礎立ち上がり壁部２１０に形成される人通孔３００の幅と同じ長さとで構成された金属製のフランジ板材である。この上面板１２１は、短辺方向断面において上辺部が開放され「コの字」状に形成された枠体１１０の開口部を塞ぐように枠体１１０の天頂部に固定される。
【００４０】
台形フランジ板１２２は短辺方向断面が「コの字」状の形状をした板材である。この台形フランジ板１２２は、側面視で住宅基礎２００の長手方向に沿って、上面板１２１の長手方向の両側面に垂直方向に固定される。固定位置は、台形フランジ板１２２の側面視の長手方向両端部に近い台形ハンチが、上面板１２１と側面板１１１との接合部にかかるように、かつ台形フランジ板１２２の中央部底辺が、上面板１２１の底面と高さ方向が同等位置になるように取付けられ、長手方向側面視で台形アーチ状に構成される。
【００４１】
これにより台形梁１２０は、単なる水平に繋いだ水平梁よりも断面係数が増加する。そのうえ、アーチ効果による変形減少も期待できる。また短辺方向断面も溝形に形成されるので、曲げ強度が増加する。なお、台形梁１２０の材質は枠体１１０と同質同効のものである。
【００４２】
以上のように構成された人通孔金物１００は、住宅基礎２００のコンクリート型枠組み立て時に、コンクリート型枠内の所定の位置に正確に設置または固定され、周囲の補強鉄筋に結束、または点溶接で接続されたうえ、そのままコンクリート打設時に埋め込まれる。なお、人通孔３００の開口面の周囲に、あらかじめ防水シールを施しておいてもよい。
【００４３】
脱型の後、形成された基礎立ち上がり壁部２１０に埋め込まれ一体化された人通孔金物１００は、２枚の側面板１１１、底面板１１２、上面板１２１が打設されたコンクリートと密着して人通孔３００の内側面を補強するので、耐久強度のある人通孔３００を形成することができる。
【００４４】
このように形成された人通孔３００は、住宅基礎２００の長手方向に作用する応力を金属製の人通孔金物１００で負担し、基礎立ち上がり部壁部２１０上に固定される構造物の住宅土台４００が載荷された際にも、人通孔３００による空間部に起因する上部応力によって生じる住宅基礎２００の損傷を防止、抑制することができる。
【００４５】
基礎立ち上がり壁部２１０に、将来設置される住宅土台４００は、基礎立ち上がり壁部２１０の長手方向上部に沿って設置される。人通孔金物１００の上部には、住宅土台４００が対向した２枚の台形フランジ板１２２で形成された台形梁１２０の溝に、はめ込まれて設定される。
【００４６】
また住宅土台４００は、住宅土台４００に設けたアンカーボルト孔４１０と、アンカーボルト１３１の位置に合わせて上面板１２１に穿孔されたボルト孔１２３とが合わせられ、アンカーボルト１３１によって結合される。
【００４７】
これにより、住宅土台４００と住宅基礎２００に固定された人通孔金物１００とが一体化されるため、住宅土台４００にかかる上部構造物に起因する応力を、住宅基礎２００と住宅基礎２００とに固定された人通孔金物１００とで支えることができる。結果、人通孔３００に過度な負担がかかることがなく、人通孔３００の欠損を防止することができる。
【００４８】
このように形成された人通孔３００によって、基礎立ち上がり壁部２１０の上部を開放した形状としても人通孔３００を必要十分な大きさに保つことが可能になる。さらに開放した人通孔３００の上辺部を台形梁１２０で強化したことで、アーチ効果により構造的変形が抑えられ、人通孔３００の大きさを維持したまま人通孔金物１００が有する上面板１２１に対して、直接住宅土台４００を支えることが可能となる。
【００４９】
また人通孔金物１００は、上面板１２１と側面板１１１および底面板１１２に複数設けられたアンカー孔１１３に挿入されたアンカーボルト１３１によって、住宅基礎２００と強固に碇着され、上部荷重に起因する全応力を基礎全体で効率よく均一に負担できるので、全体的に基礎構造のバランスが向上し、上部構造物の安定に資することができる。
【００５０】
図２は、人通孔金物の組立詳細を示す斜視図である。
図２に示すように、枠体１１０は、アングルリブ１１４有する２枚の側面板１１１と、アングルリブ１１５を有する底面板１１２とからなっている。
【００５１】
アングルリブ１１４およびアングルリブ１１５は、側面板１１１および底面板１１２の座屈防止用の補強材であって、全体的に剛性を増し、組み立て時の歪みを防止するとともに、人通孔金物１００の水平、垂直を保ち、側面板の局部座屈を防ぎ、かつ人通孔金物１００と打設されるコンクリートとの碇着をよくするために設置されている。
【００５２】
ここで、人通孔金物１００の底面部においては、底面板１１２の両端部の座屈防止と、圧密時の変形防止のために、底面板１１２の下面かつ底面板１１２の長辺方向の外側端部に、互いに向き合うようにアングルリブ１１５が溶着されている。
【００５３】
また同様に、人通孔金物１００の側面部においても、側面板１１１の座屈防止の補強のために、側面視で住宅基礎２００の長辺方向に対向する２枚の側面板１１１の外側かつ、側面板１１１の長辺方向の外側端部に、互いに向き合うようにアングルリブ１１４が溶着されている。
【００５４】
図３は、人通孔金物の接合方法を示す分解図である。
図３に示すように、人通孔金物１００は、上面板１２１および台形フランジ板１２２からなる台形梁１２０と、２枚の側面板１１１および底面板１１２からなる枠体１１０とから組み立てられる。
【００５５】
枠体１１０と台形梁１２０との接合方法の一例を以下に示す。
枠体１１０を構成する側面板１１１と底面板１１２との接合は、側面板１１１の下端でアングルピース１１６を介して直角に取付けられる。また枠体１１０と台形梁１２０との接合は、側面板１１１の上端でアングルピース１２４を介して直角に取付けられる。
【００５６】
これらの接合は、溶接または、あらかじめ設けられた取付穴ａに、取付ナット１１７、１２５、および取付ボルト１１８、１２６によって結合される。なお、取付ナット１１７、１２５は取付穴ａの位置に合わせて溶着してあるとよい。
また工期短縮のため、台形梁１２０の接合部を先に溶着しておくことも可能であり、工程上効率的である。
【００５７】
アングルピース１１６は、底面板１１２の上面の短辺端部から側面板１１１の厚さだけ長辺方向内側に入った位置に互いに向き合う方向で溶着される。同様に、アングルピース１２４は、上面板１２１の下面の短辺端部から側面板１１１の厚さだけ長辺方向内側に入った位置に互いに向き合う方向で溶着される。
【００５８】
また、側面板１１１と底面板１１２とが垂直に固定された側面の４カ所の隅部に金属製の板材を垂直三角形に加工したコーナーリブ１１９を溶着することで、人通孔金物１００の剛性をさらに増すことができる。
【００５９】
また本実施例では、枠体１１０と台形梁１２０とを接合する際に、溶着または取付ナット１２５と取付ボルト１２６とで接合する例を挙げたが、工事現場の状況次第で、取付ボルト１２６を有する長ナットを用いると良い。また人通孔金物１００の外側に溶着し、人通孔金物１００の内側から取付ボルト１２６で固定することも選択できる。
【００６０】
これにより、人通孔３００を有する住宅基礎２００の形成後、何らかの事情により台形梁１２０を取り外す必要が発生したときに、人通孔金物１００の内側から緊結した取付ボルト１２６を取り外すだけで、容易に台形梁１２０を取り外すことが可能となる。
【００６１】
なお、２枚の側面板１１１と底面板１１２とには、あらかじめ所望の位置にアンカー孔１１３があけられている。これは人通孔金物１００を固定するために使用するものであり、固定方法については後述する。
【００６２】
図４は、基礎立ち上がり壁部に人通孔を形成するために、コンクリート型枠内に人通孔金物を設置した状態を示す斜視図である。
図４に示すように、人通孔３００を有する基礎立ち上がり壁部２１０を形成するための地業として割栗、目つぶし、突き固め、モルタル均しの後、コンクリート型枠６００の設置と配筋５００の組み立て、および人通孔金物１００の設置とが同時並行的に進められる。
【００６３】
その間、人通孔金物１００がコンクリート型枠６００内の所定の位置に挟み込まれるように設置され、配筋５００の配筋時に、人通孔金物１００の枠体１１０が有する側面板１４１と底面板１４２から突き出ているアンカーボルト１３１とを結束させる。
【００６４】
人通孔金物１００は配筋された配筋５００の端部に結線あるいは点溶接で固定され、人通孔金物１００の上面板１２１のコンクリート型枠６００の天端が一致するように設置され、配筋５００を囲うように、反対側の対向する型枠メタルフォーム６１０で人通孔金物１００を挟持するように止め金物で緊結して、人通孔金物１００の人通空間の開口部を塞ぐように設置される。
【００６５】
この時、枠体１１０の外側に沿わせた補助筋５１１を配筋し、突き出たアンカーボルト１３１との結束を密にすると、さらに人通孔金物１００と住宅基礎２００との碇着が強固となる。
【００６６】
基礎立ち上がり部壁部２１０の配筋５００は、人通孔３００が形成される位置を除いた部位に組み立てられ、人通孔金物１００を形成する枠体１１０の２枚の側面板１１１と上面板１２１から突き出た複数のアンカーボルト１３１と結束または点溶接のうえ、そのままコンクリート２１１を打設、硬化した後、人通孔金物１００を埋め込んだまま脱型すれば、完成した人通孔金物１００が現れる。
【００６７】
図５は、設置されたコンクリート型枠の内部で人通孔金物が補助筋に固定された様子を示す図である。
図５に示すように、人通孔金物１００は、アンカーボルト１３１によって配筋５００に固定されている。
【００６８】
具体的には、人通孔金物１００が有する側面板１１１と底面板１１２とに、あらかじめ設けられたアンカー孔１１３にアンカーボルト１３１が人通孔金物１００の内側から外側に向かって差し込まれて側面板１１１と底面板１１２とに溶着される。
【００６９】
人通孔金物１００の周囲から突出、固定されたアンカーボルト１３１は、人通孔金物１００の周囲の配筋５００に結束あるいは点溶接で固定される。
例えば底面板１１２に形成されたアンカー孔１１３に溶着されたアンカーボルト１３１は、人通孔金物１００から下向きにアンカーボルト１３１が突出するように固定される。
【００７０】
また側面板１１１に形成されたアンカー孔１１３に溶着されたアンカーボルト１３１は、人通孔金物１００から水平方向にアンカーボルト１３１が突出するように固定される。そして、人通孔金物１００から水平方向に突出したアンカーボルト１３１は、人通孔金物１００の側面に水平方向に配筋された主筋５２０または補助筋５１１に結束線あるいは点溶接により固定される。
【００７１】
これにより人通孔金物１００は配筋５００に固定され、また人通孔３００の人通空間を覆うようにコンクリート型枠６００が挟み込んで設置されるので、人通孔金物１００をコンクリート型枠６００の内部に正確に固定することができる。
【００７２】
図６は、コンクリート型枠内にコンクリートを打設した様子を示す図である。
図６に示すように、人通孔金物１００はコンクリート型枠６００に覆われているため、外観から人通孔金物１００は、人通孔金物１００が有する台形梁１２０しか見えていない状況である。
【００７３】
図７は、コンクリート硬化後にコンクリート型枠の撤去作業が人通孔まで進んだ様子を示す図である。
コンクリート型枠６００内に、人通孔金物１００が設置された基礎立ち上がり壁部２１０のうち、コンクリート２１１が流れ込まなかった人通孔金物１００の内側の人通空間はそのまま空間として残り、その空間部分の人通孔金物１００が人通孔３００として基礎立ち上がり壁部２１０に形成される。
また基礎立ち上がり壁部２１０に形成された人通孔３００には、脱型後、人通孔金物１００として、そのまま人通孔３００の側壁を形成する。
【００７４】
本発明の人通孔金物１００は、それ自体で強度を有しており、基礎立ち上がり壁部２１０と人通孔金物１００とは密着しているので、基礎からの伝達応力に対して安全である。また人通孔金物１００が有するアングルリブ１１４、１１５によって、側面板１１１と底面板１１２の局部破壊に対する抵抗力が増す。
【００７５】
〔第２の実施の形態〕
次に、本発明の第２の実施の形態について説明する。本実施の形態の人通孔金物は、枠体１１０の形状が異なる以外は、第１の実施の形態で示した構成とほぼ同様である。このため、上記第１の実施の形態とほぼ同様の構成部分については同一の符号を付すなどして適宜その説明を省略する。
【００７６】
図８は、第２の実施の形態に係る人通孔金物の詳細を示す斜視図である。
図８に示すように、人通孔金物１００は、２枚の側面板１４１と底面板１４２と２枚の台形フランジ板１４３とからなる枠型函体１４０と、台形梁１２０を備えている。
【００７７】
台形フランジ板１４３は短辺方向断面が「コの字」状の形状をした板材であり、台形フランジ板１２２と同様の形状をしている。台形フランジ板１４３は、台形梁１２０が有する台形フランジ板１２２と台形フランジ板１４３とは上下対称に設けられる。
【００７８】
台形フランジ板１４３は、側面視で住宅基礎２００の長手方向に沿って、底面板１４２の長手方向の両側面に垂直方向に固定される。固定位置は、台形フランジ板１４３の側面視の長手方向両端部に近い台形曲部が、底面板１４２と側面板１４１との接合部を覆うように、かつ台形フランジ板１４３の中央部底面辺が、底面板１４２高さ方向が同等位置になるように取付けられ、長手方向側面視で折板アーチ状に構成される。
これにより枠型函体１４０は、水平に繋いだ水平梁よりも断面諸係数が増加する。また短辺方向断面も溝形に形成されるので、曲げ強度が増加する。
【００７９】
なお本実施例では、人通孔金物１００の上下が対称になるように構成したが、上下の台形フランジ板１２２、１４３を逆対称にし、台形の山が同方向になるようにして、対向する２枚の側面板１４１の下部側を短くし、代わりに側面板１４１に備えられたアングルリブ１４４を延長して脚部とすることで人通孔金物１００の水平安定性を保つように構成することも可能である。
【００８０】
〔第３の実施の形態〕
次に、本発明の第３の実施の形態について説明する。本実施の形態の人通孔金物は、枠体１１０の形状が異なる以外は、第１の実施の形態で示した構成とほぼ同様である。このため、上記第１の実施の形態とほぼ同様の構成部分については同一の符号を付すなどして適宜その説明を省略する。
【００８１】
図９は、第３の実施の形態に係る人通孔金物の詳細を示す斜視図である。
図９に示すように、人通孔金物１００は、台形梁１２０と、枠型函体１５０とを備えている。
【００８２】
枠型函体１５０は、短辺方向断面において上辺部が開放された「コの字」状に側面板１１１と底面板１１２とが接合された枠体１１０の角部を曲面加工したものである。
枠型函体１５０が有する側面板１５１は、側面板１１１と底面板１１２との位置に沿って曲面を有した一枚の金属板から加工さる。
【００８３】
また側面板１５１の外側には、側面板１５１に沿って溶着された２本の平鋼リブ１５２が側面板１５に平行するように溶着されている。平鋼リブ１５２は、台形梁１２０と枠体１１０との接合の歪みを防止すると共に、人通孔金物１００の水平、垂直を保ち、側面板１５１の局部破壊を防止する。
【００８４】
これにより住宅基礎２００に形成される人通孔３００は人通孔金物１００によって完全に補強されるので、住宅基礎２００に形成される立ち上がり部壁部２１０下方向からの反力に対しても抵抗力のある人通孔３００を形成することが出来る。
【００８５】
また人通孔金物１００と形成される人通孔３００の下部とが接する面を曲面にすることで、枠体１１０の下辺の隅角部が形成されないため、人通孔金物１００の下部にかかる応力が分散されるので、基礎立ち上がり壁部２１０への設置に際し、人通孔金物１００が安定しやすい。
【００８６】
また人通孔金物１００の下部を曲面にすることで、形成される人通孔３００の下部隅部へ集中してしまう応力が曲面に沿って分散されるので、人通孔３００の欠損を防止することが出来る。
【００８７】
また人通孔金物１００の下部を曲面にすることで、コンクリート２１１の打設時の人通孔金物１００による抵抗が少なくなるので、打設したコンクリート２１１が人通孔金物１００の下側にも流動しやすく、ジャンカ（豆板）が出にくい。これにより、住宅基礎２００と人通孔金物１００とが一体化しやすくなる。
【００８８】
なお、本実施例では、コンクリート２１１の打設前にコンクリート型枠６００の間に人通孔金物を設置し、コンクリート２１１を打設、またコンクリート２１１硬化後に耐力を備えた人通孔３００が形成される例を示したが、あらかじめ形成された基礎立ち上がり部壁部２１０に人通孔３００を形成し、その形成された人通孔３００に人通孔金物１００を嵌め込むことで、人通孔３００を補強するようにしてもよい。
【符号の説明】
【００８９】
１、２１０  立ち上がり壁部
２、３、４、３００  人通孔
１０、２０、３０  補強構造
１１、３４  斜筋
１２  縦筋
１３  横筋
１４、５２０  主筋
１５、１１１、１４１、１５１  側面板
２１  斜材
２２  横材
３１  上端筋
３２  腹筋
３３  下端筋
３５  肋筋
４０  補強部材
４１  側枠部材
４２  上枠部材
４３  下枠部材
４４  連結プレート
４５  長孔
４６  ボルト
４７  ナット
１００  人通孔金物
１１０  枠体
１１２、１４２  底面板
１１３  アンカー孔
１１４、１１５、１４４  アングルリブ
１１６、１２４  アングルピース
１１７、１２５  取付ナット
１１８、１２６  取付ボルト
１１９  コーナーリブ
１２０  台形梁
１２１  上面板
１２２、１４３  台形フランジ板
１２３  ボルト孔
１３１、４１０  アンカーボルト
１４０、１５０  枠型函体
１５２  平鋼リブ
２００  住宅基礎
２１１  コンクリート
４００  住宅土台
５００  配筋
５１１  補助筋
６００  コンクリート型枠
６１０  型枠メタルフォーム
ａ  取付穴
ｂ  台形ハンチ
【図１】
2018184705.tif 000003
【図２】
2018184705.tif 000004
【図３】
2018184705.tif 000005
【図４】
2018184705.tif 000006
【図５】
2018184705.tif 000007
【図６】
2018184705.tif 000008
【図７】
2018184705.tif 000009
【図８】
2018184705.tif 000010
【図９】
2018184705.tif 000011
【図１０】
2018184705.tif 000012
【図１１】
2018184705.tif 000013
【図１２】
2018184705.tif 000014
【図１３】
2018184705.tif 000015